(57)【要約】      （修正有）【課題】最小限の品種で使用者の様々な要求に対応可能なマットレスを提供する。【解決手段】特性の異なる２以上の層（１ａ、２、３）が積層されたマットレスＭ１であって、各層は接着されておらず積層順が組み替え可能あることを特徴とする。ここで、前記構成のマットレスＭ１において、各層は上下面の反転使用が可能である構成とするのが好ましい。【選択図】図１
0003217938.tif 000002
【実用新案登録請求の範囲】
【請求項１】
特性の異なる２以上の層が積層されたマットレスであって、
各層の積層順が組み替え可能あることを特徴とするマットレス。
【請求項２】
各層は上下面の反転使用が可能である請求項１記載のマットレス。
【請求項３】
ウレタンフォームから構成される第１層と、固綿から構成される第２層とを少なくとも有する請求項１又は２記載のマットレス。
【請求項４】
第１層の上面又は下面に断面波形の凹凸曲面が形成されている請求項３記載のマットレス。
【請求項５】
第１層の上面又は下面に、長手方向に対して垂直な方向に延在する直線状の溝部が長手方向に所定間隔で複数本形成されている請求項３又は４記載のマットレス。
【請求項６】
前記溝部の長手方向の形成間隔が長手方向一方側と他方側とで異なる請求項５記載のマットレス。
【請求項７】
第２層の上面又は下面の長手方向一方側に、長手方向に対して垂直な方向に延在する直線状の第１凹部が長手方向に所定間隔で複数本形成されている請求項３〜６のいずれかに記載のマットレス。
【請求項８】
第２層の上面又は下面の長手方向中央部に、長手方向に対して垂直な方向に延在する直線状の第２凹部が長手方向に所定間隔で複数本形成され、第２凹部と交差する方向に延在する直線状の第３凹部が長手方向に対して垂直な方向に所定間隔で複数本形成されている請求項３〜７のいずれかに記載のマットレス。
【請求項９】
立体網状繊維集合体から構成される第３層をさらに有する請求項３〜８のいずれかに記載のマットレス。
【請求項１０】
積層された前記２以上の層を収納する直方体形状のカバーをさらに有し、
前記カバーは、４つの側面のうち少なくとも３つの側面に連続して線ファスナーが設けられて開閉可能とされている請求項１〜９のいずれかに記載のマットレス。
【考案の詳細な説明】
【技術分野】
【０００１】
本考案はマットレスに関し、より詳細には積層構造を有するマットレスに関するものである。
【背景技術】
【０００２】
マットレスに求められる一般的機能として保温性、弾力性、清潔性などがあるがマットレスに求められる機能は使用者の状況や好みによって様々である。例えば、寝たきりの入院患者の場合には床ずれ（褥瘡）の発生を抑制する観点からは低反発性が求められる。また同時に、汗などの湿気を逃しやすくする観点からは通気性といった機能も求められる。また健常者の場合には弾力性などの好みは勿論のこと、体重の増減や体調変化などそのときどきでマットレスに求められる機能も変わってくる。そしてまた、季節によっても求められる機能は異なる。冬場は保温性が求められ、夏場は吸湿性が求められる。
【０００３】
例えば特許文献１では、上層、中層、下層の三層からなるマットレスにおいて、下層を複数の構成体で構成し、使用者の体格及び腰痛の有無により身体の各部位に対応する構成体の硬度・クッション性を調整可能とする技術が提案されている。また特許文献２では、面剛性の異なる複数のクッション材を積層して充填材とし、体圧分散性を高めて床ずれの抑制や起き上がり性の向上を図る技術が提案されている。
【先行技術文献】
【特許文献】
【０００４】
【特許文献１】特開２００５−３１９０５９号公報
【特許文献２】特開２００１−２９２８７０号公報
【考案の概要】
【考案が解決しようとする課題】
【０００５】
上記提案技術によればマットレスに要求される様々な機能のいくつかは満たされるものの未だ多くの要求には十分には応えられていない。また使用者の要求に対応した多様な品種のマットレスを準備することは生産者及び販売者の負担が大きすぎ現実的ではない。
【０００６】
本考案はこのような従来の問題に鑑みてなされたものであり、その目的は、最小限の品種で使用者の様々な要求に対応可能なマットレスを提供することにある。
【課題を解決するための手段】
【０００７】
前記目的を達成する本考案に係るマットレスは、特性の異なる２以上の層が積層されたマットレスであって、各層の積層順が組み替え可能あることを特徴とする。
【０００８】
前記構成のマットレスにおいて、各層は上下面の反転使用が可能である構成とするのが好ましい。
【０００９】
また前記構成のマットレスにおいて、ウレタンフォームから構成される第１層と、固綿から構成される第２層とを少なくとも有する構成としてもよい。
【００１０】
また前記構成のマットレスにおいて、第１層の上面又は下面に断面波形の凹凸曲面が形成されている構成としてもよい。
【００１１】
また前記構成のマットレスにおいて、第１層の上面又は下面に、長手方向に対して垂直な方向に延在する直線状の溝部が長手方向に所定間隔で複数本形成されている構成としてもよい。
【００１２】
また前記構成のマットレスにおいて、前記溝部の長手方向の形成間隔が長手方向一方側と他方側とで異なる構成としてもよい。
【００１３】
また前記構成のマットレスにおいて、第２層の上面又は下面の長手方向一方側に、長手方向に対して垂直な方向に延在する直線状の第１凹部が長手方向に所定間隔で複数本形成されている構成としてもよい。
【００１４】
また前記構成のマットレスにおいて、第２層の上面又は下面の長手方向中央部に、長手方向に対して垂直な方向に延在する直線状の第２凹部が長手方向に所定間隔で複数本形成され、第２凹部と交差する方向に延在する直線状の第３凹部が長手方向に対して垂直な方向に所定間隔で複数本形成されている構成としてもよい。
【００１５】
また前記構成のマットレスにおいて、立体網状繊維集合体から構成される第３層をさらに有する構成としてもよい。
【００１６】
また前記構成のマットレスにおいて、積層された前記２以上の層を収納する直方体形状のカバーをさらに有し、前記カバーは、４つの側面のうち少なくとも３つの側面に連続して線ファスナーが設けられて開閉可能とされている構成としてもよい。
【考案の効果】
【００１７】
本考案に係るマットレスは、特性の異なる２以上の層が積層されたマットレスであって、各層の積層順が組み替え可能あるので、特性の異なる層の積層順を換えることで使用者の様々な要求に対応可能である。
【図面の簡単な説明】
【００１８】
【図１】本発明に係るマットレスの第１実施形態を示す斜視図である。
【図２】第１層の斜視図である。
【図３】第３層３の斜視図である。
【図４】第２層の斜視図である。
【図５】積層体をカバー内に収容する状態図である。
【図６】第２実施形態のマットレスの分解斜視図である。
【図７】３層構造のマットレスにおける層構成が異なる場合の圧力分布図である。
【図８】２層構造のマットレスにおける層構成が異なる場合の圧力分布図である。
【考案を実施するための形態】
【００１９】
以下本考案に係るマットレスについて図に基づいてさらに説明するが、本考案はこれらの実施形態に何ら限定されるものではない。また、本明細書における長手方向、短手方向、積層方向は、図１に示す長手方向、短手方向、積層方向をいうものとする。
【００２０】
（第１実施形態）
図１に第１実施形態に係るマットレスＭ１の斜視図を示す。図１に示すマットレスＭ１は、積層された平面視が略同一の長方形状の３つの層を有する。積層方向上側から順に第１層１ａ、第３層３、第２層２とが積層されている。これら各層は後述するように固定・接着されておらず単に積層されているだけであり、所望の積層順に組み替え可能である。なお、実使用においては積層体は型崩れしないように後述の内カバー及び外カバーに収容されて使用される。以下、各層について説明する。
【００２１】
図２に第１層１ａの斜視図を示す。第１層１ａは平面視が長方形状であり、ウレタンフォームから構成される。ウレタンフォームは反発弾性率が低いため体圧分散性が高い。ここでさらに、第１層１ａに通気性及び透水性の機能をも発揮させる観点からは、使用するウレタンフォームとしてセル膜を有しない三次元網目構造のものが推奨される。第１層１ａの層厚に特に限定はないが、通常、３０ｍｍから７０ｍｍの範囲が好ましい。
【００２２】
第１層１ａの積層方向一方面側は平面であり、他方面側（図２では上面側）には、短手方向の一方端から他方端にわたって直線状に連続する溝部１１が長手方向に所定間隔で複数本形成されている。溝部１１の断面形状は、表面開口から内方に向かう途中部において長手方向に拡がる拡幅部を有し、底面部は円弧状とされている（図２の部分拡大図を参照）。溝部１１の断面形状をこのような形状とすることによって、例えばマットレスが載置されたベッドが背上げ姿勢とされた場合に、第１層１ａがベッドの形状に添って屈曲しやすくなると共に、溝部１１に長手方向に拡がる力が加わったときでも（図２において上方に凸となる屈曲形状となったとき）、溝部１１の底面部から積層方向に亀裂が生じるのが抑制される。
【００２３】
第１層１ａに溝部１１が形成されることによって体圧分散性が向上する。すなわち、溝部１１の長手方向の形成間隔が短くなるほど体圧分散性が向上する。そこで第１層１ａにおける溝部１１の形成間隔を長手方向一方側と他方側とで異なるようにするのが好ましい。図２に示す第１層１ａでは、溝部１１の足側の形成間隔Ｐ２が頭側の形成間隔Ｐ１よりも短く設定されている。頭よりも足の方が重量があるので、溝部１１の形成間隔がこのように設定されることによって体圧分散の均一化が図れるようになる。加えて、溝部１１の足側の形成間隔Ｐ２が大きいと、溝部１１の幅とも関係して、マットレス上に人が仰臥したときに踵が溝部１１に填り込みやすくなる。溝部１１の形成間隔Ｐ１，Ｐ２に特に限定はないが、通常、Ｐ１は４５ｍｍから６５ｍｍの範囲、Ｐ２は１５ｍｍから３５ｍｍの範囲が好ましい。
【００２４】
なお、例えば、足側の体圧分散性を低下させ、頭側の体圧分散性を向上させたい場合には、図２に示す第１層１ａを１８０度回転させて頭側と足側とを逆にすればよい。また、低い体圧分散性を望む場合には第１層１ａの積層方向の上下面を反転させて、溝部１１のない平面側を上面として使用すればよい。
【００２５】
図３に第３層３の斜視図を示す。第３層３は平面視が長方形状であって、立体網状繊維集合体から構成される。本考案で使用する立体網状繊維集合体としては、樹脂繊維がランダムな方向性を有して融着したものが好適である。このような立体網状繊維集合体としては、例えば、プロピレン系重合体を含んでなる樹脂から構成される多数又は複数の繊維を、溶融状態でランダムまたは螺旋状の方向性を持たせて互いに融着させ、立体的な網状の構造としてものが挙げられる。繊維が溶融状態で互いに接することにより、繊維同士が融着することができ、立体網状繊維集合体としての構造を強固に保持することができる。ここで、ランダムな方向性を持つとは、繊維が無秩序に曲がりくねった状態にあることをいう。また、螺旋状の方向性を持つとは、繊維が、回転しながら回転面に垂直方向に上昇した状態にあることをいう。また、多数の繊維とは、立体網状繊維集合体の形態を維持するために必要な数の繊維を意味し、例えば幅１０００ｍｍ、厚み３０ｍｍの立体網状繊維集合体中において５０〜１８００本程度の本数の繊維が存在することを意味する。
【００２６】
立体網状繊維集合体を構成する繊維の繊度は１５０ｄｔｅｘから１０００００ｄｔｅｘ、好ましくは１０００ｄｔｅｘから１００００ｄｔｅｘの範囲である。樹脂繊度が上記範囲内であると、立体網状繊維集合体を圧縮した際に、圧縮した面全体で均一な圧力を生じさせることができる。
【００２７】
立体網状繊維集合体の見掛け密度としては、０．０２０ｇ／ｃｍ３から０．３００ｇ／ｃｍ３の範囲、より好ましくは０．０２５ｇ／ｃｍ３から０．２００ｇ／ｃｍ３の範囲である。見掛け密度が上記範囲内であると、立体網状繊維集合体が十分な弾性を有し、さらに繊維同士の接着点が増加するため、立体網状繊維集合体の構造を強固に保持することができる。また、上記繊維の断面構造は、例えば円形構造、異形構造、中空構造などであってよいが、中空構造の場合には匂いの原因となるカビが中空内で発生するおそれがあるので中実構造であるのが望ましい。
【００２８】
立体網状繊維集合体は、単独の種類の樹脂からなる繊維から構成されてよく、または２種以上の種類の樹脂からなる繊維から構成されてもよい。例えば、樹脂の種類ならびに繊度、繊維径および断面構造等の異なる繊維を混合した立体網状繊維集合体であってもよい。
【００２９】
第３層３の厚みとしては、通常、１０ｍｍから５０ｍｍの範囲が好ましい。厚みがこの範囲内であると、立体網状繊維集合体が十分なクッション性を有し、また同時に構造体として優れた強度を有する。
【００３０】
図４に第２層２の斜視図を示す。なお、第２層２の下面には複数本の第１凹部２１、第２凹部２２及び第３凹部２３が形成されており、これら第１凹部２１、第２凹部２２及び第３凹部２３の形成位置などを明確にするため、図４では第２層２の上下を逆にして下面を上にして示している。
【００３１】
図４に示す第２層２は平面視が長方形状であって固綿から構成される。本考案で使用する固綿は、ポリエステルや羊毛などに樹脂加工や熱加工を加え圧縮し、一定以上の硬度、密度を有する板状としたものが好適に使用される。これによりマットレスにコシが生まれクッション性と支持性が生じると共に、繊維組織を有しているので通気性、透湿性に優れる。第２層２の層厚に特に限定はないが、通常、３０ｍｍから７０ｍｍの範囲が好ましい。
【００３２】
第２層２の積層方向上面側は平面であり、下面側の長手方向足側には、短手方向の一方端から他方端にわたって直線状に連続する第１凹部２１が、長手方向に所定間隔で複数本形成されている。長手方向足側における第１凹部２１の形成間隔は、通常、３０ｍｍから５０ｍｍの範囲が好ましい。
【００３３】
また、第２層２の積層方向下面側の長手方向中央部には、短手方向の一方端から他方端にわたって直線状に連続する第２凹部２２が長手方向に所定間隔で複数本形成され、第２凹部２２と直交する方向に直線状に連続する第３凹部２３が短手方向に所定間隔で複数本形成されている。なお、第３凹部２３の長手方向の形成領域は第２凹部２２が形成されている領域であり、第３凹部２３は第１凹部２１とは交差しない。
【００３４】
以上のような第１凹部２１と第２凹部２２とによって体圧分散性が向上すると共に、マットレスが載置されたベッドが背上げ姿勢とされた場合に第２層２がベッドの形状に添って屈曲しやすくなる。また、第２凹部２２と第３凹部２３とによって、第２層２の積層方向下面側の長手方向中央部には四角形状に区分けされた複数の凸状領域が形成され、身体の腰部分の圧力を良好に分散可能となる。第２凹部２２及び第３凹部２３の形成間隔は、通常、９０ｍｍから１１０ｍｍの範囲が好ましい。
【００３５】
なお、例えば、第２層２により高い体圧分散性を望む場合には第２層２の積層方向の上下面を反転させて、第１凹部２１、第２凹部２２、第３凹部２３のある側を上面として使用すればよい。
【００３６】
以上説明した第１層１ａ、第３層３、第２層２が積層方向上から順に積層してマットレスとされる。マットレスの積層方向の厚みに特に限定はないが、実使用上は、９０ｍｍから１１０ｍｍの範囲が好適である。
【００３７】
本考案の大きな特徴は、第１層１ａ、第２層２、第３層３の各層の積層順が組み替え可能である点にある。すなわち、マットレスに対する使用者の好みや望む機能によって第１層１ａ〜第３層３の積層順を組み替える。例えば、固めのマットレスが好みである場合には、固綿から構成される第２層２を最上層とすればよく、より固めが望みであれば第２層２を最上層とし、且つ第２層２の平面側を上面とすればよい。反対に、柔らかいマットレスが好みである場合には、ウレタンフォームから構成される第１層１ａを最上層とすればよく、より柔らかめが望みであれば第１層１ａを最上層とし、且つ第１層１ａの溝部１１が形成された側を上面とすればよい。なお、マットレスを構成する積層体の層構成の違いによる体圧分散性の具体的データは後述の実施例において示す。
【００３８】
以上説明した第１層１ａ、第３層３、第２層２は積層方向上からこの順に単に積層されてマットレスとして使用可能であるが、使用によって各層間のズレなどが生じるおそれがある。各層間にズレが生じると所期の効果が得られないおそれがある。そこで、第１層１ａ、第３層３、第２層２からなる積層体をカバー内に収容して各層間のズレを防止して使用することが推奨される。
【００３９】
図５に、積層体を収容するカバー４の一例を示す。図５に示すカバー４は、第１層１ａ、第３層３、第２層２から構成される積層体ＭＬと相似形状の直方体であって、上カバー部４ａ、下カバー部４ｂ、及び上カバー部４ａと下カバー部４ｂとを接続する線ファスナー４５を有し、積層体ＭＬよりも若干大きい内容積を有する。上カバー部４ａと下カバー部４ｂとはカバー４を上下方向略中央で水平に分割した形状を有し、上カバー部４ａと下カバー部４ｂとはカバー４の側面４４の一部において接合し、それ以外の側面４１，４２，４３は線ファスナー４５によって離接可能とされている。線ファスナー４５は、カバー４の４つの側面のうち３つの側面４１，４２，４３、及び残る１つ側面４４の両端部から中央に方向に所定長さの所まで連続して設けられている。換言すると、線ファスナー４５は、カバー４の一つの側面４４の一方側の端部から側面中央方向に所定距離入った位置から、各々隣接する３つの側面４１，４２，４３を上下方向同じ高さ位置で横断し、側面４４の他方側の端部から側面中央方向に所定距離入った位置まで連続して設けられている。そして、線ファスナー４５には、線ファスナー４５の両端部から反対側の端部に向かって線ファスナー４５のエレメントをかみ合わせながら移動する２つのスライダー４５１ａ，４５１ｂが設けられている。この２つのスライダー４５１ａ，４５１ｂの少なくとも一方を移動させることによりカバー４は開閉可能とされる。
【００４０】
図５の上側図に示すように、２つのスライダー４５１ａ，４５１ｂをそれぞれ線ファスナー４５の両端部に位置させると、カバー４は上カバー部４ａと下カバー部４ｂとが側面４４の一部でのみ接続した開状態となり、カバー４の内底面が完全に露出した状態となる。これにより、積層体ＭＬは容易に下カバー部４ｂ内に入れることができる。積層体ＭＬが下カバー部４ｂ内に入れられると積層体ＭＬに上カバー部４ａが覆い被せられる。そして、線ファスナー４５の両端部に位置していた２つのスライダー４５１ａ，４５１ｂを線ファスナー４５の各々の他方の端部に向けて移動させる。スライダー４５１ａ，４５１ｂが通過した所から線ファスナー４５のエレメントがかみ合った状態となり、２つのスライダー４５１ａ，４５１ｂが当接したところでカバー４は完全に閉状態となる（図５の下側図）。なお、スライダー４５１ａ，４５１ｂのいずれか一方のみを移動させてカバー４の開閉を行っても勿論かまわないが、２つのスライダー４５１ａ，４５１ｂを用いてカバー４の開閉を行う方が作業効率がよい。ここで使用する線ファスナー４５に特に限定はなく、従来公知の物を使用可能である。ただし、例えば、金属アレルギーや皮膚や血管の弱った高齢者の使用が想定される場合には樹脂製のスライダー及びエレメントから構成される線ファスナー４５が推奨される。
【００４１】
本考案で使用するカバー４の材質は、マットレス用として従来公知から用いられている材質から選択使用すればよい。また上面側と下面側とで材質を変えてもよい。例えば上面側は、通気性やクッション性が求められる場合にはポリエステルなどを使用し、介護用のマットレスとして使用する場合には防水性や清拭性に優れたポリウレタンとポリエステルの２層構造からなるものを使用することが考えられる。一方、下面側は滑りにくい表面加工を施したポリエステルなどの使用が考えられる。
【００４２】
また、マットレスが汚れた場合などの洗濯を考慮すると、カバー４を外カバーと内カバーとに分けて、外カバーとして前記のカバー４を使用し、内カバーとしてポリエステルなどからなるものを使用し、積層体ＭＬを内カバーに収納した状態で洗濯可能としてもよい。
【００４３】
（第２実施形態）
図６に、第２実施形態に係るマットレスＭ２の分解斜視図を示す。図６に示すマットレスＭ２は、ウレタンフォームから構成される第１層１ｂと、固綿から構成される第２層２とを有する。固綿の構成は図４に示したものと同じであるのでここではその説明を省略し、第１実施形態と異なるウレタンフォームから構成される第１層１ｂについて以下説明する。
【００４４】
図６に示すマットレスＭ２で使用されるウレタンフォームから構成される第１層１ｂは、積層方向一方面側は平面であり、他方面側（図６では上面側）には断面波形の凹凸曲面が形成されている。すなわち第１層１ｂの上面には、円錐形状の凸部１２が長手方向及び短手方向にそれぞれ所定間隔で上面全体にわたって形成されている。このような凹凸曲面が上面に形成されていることによって優れた体圧分散性が得られる。なお、このような第１層１ｂの表面の凹凸曲面は例えばプロファイル加工により好適に成形することができる。
【００４５】
本実施形態で使用されるウレタンフォームとしては第１実施形態で使用したものと同じ物が好適に使用される。また、円錐形状の凸部１２の高さは、第１層１ｂの厚みが６０ｍｍであれば２０ｍｍから３０ｍｍの範囲が好ましい。
【００４６】
第１層１ｂの積載方向の厚みは、通常、５０ｍｍから７０ｍｍの範囲が好ましく、固綿の積載方向の厚みは通常、３０ｍｍから７０ｍｍの範囲が好ましい。そして、マットレス全体の積載方向の厚みは、実使用上は、９０ｍｍから１１０ｍｍの範囲が好適である。
【００４７】
本実施形態においても、マットレスに対する使用者の好みや望む機能によって第１層１ｂと第２層２の積層順を組み替える。さらには第１層１ｂ及び第２層２の上下面を反転使用する。例えば、固めのマットレスが好みである場合には、固綿から構成される第２層２を最上層とすればよく、より固めが望みであれば第２層２を最上層とし、且つ第２層２の平面側を上面とすればよい。
【００４８】
また、第１実施形態と同様に、第１層１ｂと第２層２とが使用によってズレないようにカバー４内に収容して使用することが推奨される。ここで使用可能な好適なカバー４としては第１実施形態と同様のものが挙げられる。また、第１実施形態と同様に、マットレスが汚れた場合などの洗濯を考慮して、カバーを外カバーと内カバーとに分けて、外カバーとして前記のカバー４を使用し、内カバーとしてポリエステルなどからなるものを使用し、積層体を内カバーに収納した状態で洗濯可能とするのが好ましい。
【００４９】
実施例１
（体圧分散性の測定）
図１に示す３層構造のマットレスにおいて、下記のように積層順を変えて体圧分散性を測定した。測定結果を図７に示す。なお、体圧分散性の測定はＶｉｓｔａ  Ｍｅｄｉｃａｌ社製の「体圧分散測定装置」を用い、被験者は身長１７０ｃｍ、体重６２ｋｇの男性とした。
（Ａ）上側から順に  ウレタンフォーム−立体網状繊維集合体−固綿
（Ｂ）上側から順に  ウレタンフォーム−固綿−立体網状繊維集合体
（Ｃ）上側から順に  立体網状繊維集合体−ウレタンフォーム−固綿
（Ｄ）上側から順に  立体網状繊維集合体−固綿−ウレタンフォーム
（Ｅ）上側から順に  固綿−ウレタンフォーム−立体網状繊維集合体
（Ｆ）上側から順に  固綿−立体網状繊維集合体−ウレタンフォーム
【００５０】
図７から理解されるように、実験（Ａ）から（Ｆ）の順でマットレスの体圧分散性が低くなっている。すなわち、最上層をウレタンフォームとした実験（Ａ）では、頭、背中、腰、脹ら脛、踵、両肘に主として体圧が加わり、それらはほぼ均一に分散しているのに対して、最上層を固綿とした実験（Ｆ）では、頭と腰、特に腰に大きな体圧が加わっていた。
【００５１】
実施例２
図６に示す２層構造のマットレスにおいて、下記のように積層順を変えて体圧分散性を測定した。測定結果を図８に示す。なお、体圧分散性の測定装置及び被験者は実施例１と同じである。
（Ｇ）上側から順に  ウレタンフォーム−固綿
（Ｈ）上側から順に  固綿−ウレタンフォーム
【００５２】
図８から理解されるように、最上層をウレタンフォームとした実験（Ｇ）では、頭、背中、腰、脹ら脛、踵、両肘に主として体圧が加わり、それらはほぼ均一に分散していた。一方、最上層を固綿とした実験（Ｈ）では、頭、背中と腰、特に腰に大きな体圧が加わっていた。
【００５３】
このように３層構造及び２層構造のマットレスにおいて各層の積層順を組み替えることで体圧分散性の調整が可能であることがわかる。
【００５４】
以上、本考案を実施形態に基づいて添付図面を参照しながら詳細に説明したが、本考案は上記実施形態に限定されるものではなく、本考案の範囲を逸脱することなく更に他の種々の変形あるいは修正が可能である。例えば、以上説明した実施形態のマットレスは２層及び３層構造であったが４層以上の構造であっても勿論構わない。
【産業上の利用可能性】
【００５５】
本考案に係るマットレスは、特性の異なる２以上の層が積層されたマットレスであって、各層の積層順が組み替え可能あるので、特性の異なる層の積層順を換えることで使用者の様々な要求に対応可能であり有用である。
【符号の説明】
【００５６】
１    
２
Ｍ１，Ｍ２  マットレス
１ａ，１ｂ  第１層
１１    溝部
１２    凸部
２    第２層
２１    第１凹部
２２    第２凹部
２３    第３凹部
３    第３層
４    カバー
４１    上カバー部
４２    下カバー部
４５    線ファスナー
【図１】
0003217938.tif 000003
【図２】
0003217938.tif 000004
【図３】
0003217938.tif 000005
【図４】
0003217938.tif 000006
【図５】
0003217938.tif 000007
【図６】
0003217938.tif 000008
【図７】
0003217938.tif 000009
【図８】
0003217938.tif 000010
【手続補正書】
【提出日】平成30年7月12日(2018.7.12)
【手続補正１】
【補正対象書類名】実用新案登録請求の範囲
【補正対象項目名】全文
【補正方法】変更
【補正の内容】
【実用新案登録請求の範囲】
【請求項１】
特性の異なる２以上の層が積層されたマットレスであって、
各層は接着されておらず積層順が組み替え可能あることを特徴とするマットレス。
【請求項２】
各層は上下面の反転使用が可能である請求項１記載のマットレス。
【請求項３】
ウレタンフォームから構成される第１層と、固綿から構成される第２層とを少なくとも有する請求項１又は２記載のマットレス。
【請求項４】
第１層の上面又は下面に断面波形の凹凸曲面が形成されている請求項３記載のマットレス。
【請求項５】
第１層の上面又は下面に、長手方向に対して垂直な方向に延在する直線状の溝部が長手方向に所定間隔で複数本形成されている請求項３又は４記載のマットレス。
【請求項６】
前記溝部の長手方向の形成間隔が長手方向一方側と他方側とで異なる請求項５記載のマットレス。
【請求項７】
第２層の上面又は下面の長手方向一方側に、長手方向に対して垂直な方向に延在する直線状の第１凹部が長手方向に所定間隔で複数本形成されている請求項３〜６のいずれかに記載のマットレス。
【請求項８】
第２層の上面又は下面の長手方向中央部に、長手方向に対して垂直な方向に延在する直線状の第２凹部が長手方向に所定間隔で複数本形成され、第２凹部と交差する方向に延在する直線状の第３凹部が長手方向に対して垂直な方向に所定間隔で複数本形成されている請求項３〜７のいずれかに記載のマットレス。
【請求項９】
立体網状繊維集合体から構成される第３層をさらに有する請求項３〜８のいずれかに記載のマットレス。
【請求項１０】
積層された前記２以上の層を収納する直方体形状のカバーをさらに有し、
前記カバーは、４つの側面のうち少なくとも３つの側面に連続して線ファスナーが設けられて開閉可能とされている請求項１〜９のいずれかに記載のマットレス。